(57)【要約】【課題】  従来、「釘は手に持って打つもの」という固定観念が強すぎて、これまで釘打ち作業というものが意外に危険であり、かつ真っ直ぐに打つことが難しかったにもかかわらず、これまで適切な補助具が見当たらなかった。【解決手段】  全体を挟み具のような形状をした挟持体を形成し、押えばねを支持部よりややつまみ部寄りに設け、その押えばねで支持部および先端部を外側から挟みつけるように形成するとともに、さらに挟持体のそれぞれの挟み面に半円柱状の溝およびギザギザ状の溝を底面に対して垂直になるように設けたことを特徴とする。  以上のように構成したが、これにより誰でも安全にかつ失敗なく真っ直ぐに打てるようになる。【選択図】    図２
2006130644.tif 000002
【特許請求の範囲】
【請求項１】
全体を挟み具の形状をした左右対称の挟持体の一対で構成され、挟持体の底部を水平にし、ほぼ中心部に支持部を設け、その支持部に係合部を設けて差し込みはめ合わせるようにし、かつ押えばねを支持部よりややつまみ部寄りに設け、その押えばねで支持部を外側から挟み付け先端部を圧接させるように形成するとともに、先端部の挟み面上の間の一方に一個以上の半円柱状の溝を底部に対して垂直になるように設け、もう一方の対向位置にも同様の半円柱状の溝を設け、挟み面を合わせると垂直の円柱状の穴になるように形成した固着部材を打設する補助具。
【請求項２】
挟持体の底部に磁石を設けた請求項１記載の固着部材を打設する補助具。
【発明の詳細な説明】
【技術分野】
【０００１】  この発明は、釘・ねじ等を床・壁・天井等に打ち込む場合に、指で釘・ねじ等を持つのではなく、指の代わりに補助具を使って釘・ねじ等を保持しながら必要な場所に真っ直ぐ・安全・確実に打ち込めるようにした固着部材を打設する補助具に関するものである。
【背景技術】
【０００２】  従来、大小さまざまな形状の釘・ねじ等を床・壁・天井等に打ち込む場合には、釘・ねじ等が比較的大きい場合はともかく、指で持ちづらいような小さい釘・ねじ等では固定することさえもままならず、したがってなかなか真っ直ぐには打てず、安全・確実に打てるような適切な補助具はほとんど見当たらなかった。しいて先例を挙げれば次のようなものであった（例えば実用新案文献１参照。）。【０００３】  上記先例の釘打ち補助器具は先端部に行くにしたがって高さを低く先を細くした形状のもので、本体の釘固定部に釘を固定するための固定溝を複数設け、かつ柄の部分を角度をつけて上に曲げ持ち易くしたような形状の釘打ち補助器具であった。
【実用新案文献１】
実用新案登録番号  第３０２９５０６号  公報（２頁、図１）
【発明の開示】
【発明が解決しようとする課題】
【０００４】上記の実用新案文献１の釘打ち補助器具は、確かに釘だけは安全・確実に打てるようには思われるが、釘でも非常に小さい釘の場合では難点があるように思われる。また釘以外の形状のものを打つことまでもは考えていないように思われ、たとえばねじやステップル等といった釘以外の部材を打設するにはこの先例にはまだ課題が残されているように思われた。したがって、釘だけでなくそれ以外のいろいろな固着部材をも一つの器具で打設できる汎用性のある補助具がなかった。【０００５】  また、打つ場所が天井・壁・柱等の高い場所であったり、あるいは狭い場所であったり、体制が不十分であったり、釘・ねじ等が非常に小さい場合であったり、さらには留め材を留める場合などでは、その留め材を押えながら打たなければならないため、そのような難しい作業でも簡単に打てる補助具が求められていた。
本発明は、これらの課題を解決するためになされたものである。
【課題を解決するための手段】
【０００６】  第１の課題解決手段は、全体を軽量かつ硬質素材よりなる挟み具のような形状をした左右対称の挟持体１、２の一対で構成され、挟持体１，２の底部３、４を水平にし、ほぼ中心部に支持部５，６を設け、その支持部５，６に係合部７，８を設けて差し込みはめ合わせるようにし、また押えばね２２を中心部よりつまみ部９，１０寄りに設け、その押えばね２２で支持部５，６を外側から挟み付けかつ先端部１１，１２を圧接させるように形成するとともに、先端部１１の挟み面１３上に一個以上の半円柱状の溝１５，１７を底部３に対して垂直になるように設け、もう一方の対向位置にも同様の半円柱状の溝１６，１８を設け、先端部１１，１２を合わせると垂直の円柱状の穴になるように形成し、かつ挟み面１３，１４に複数のギザギザ状の溝１９，２０を底部３、４に対して垂直になるように設けたものである。【０００７】また、第２の課題解決手段は、上記の第１の課題解決手段に加えて、挟持体の底部に磁石を設けたものである。ただし、この場合は小回りと使いやすさを考慮して半円柱状の溝は一個とし、ギザギザ状の溝は上記の解決手段より少なくして、全体を小型化する。【０００８】  上記第１の課題解決手段による作用は、まず釘を打ち込む場合には、両方のつまみ部９，１０を握って挟み面１３，１４を開き、釘を半円柱状溝１５および１６、または１７および１８に挟み込んだ後、つまみ部９，１０を戻して固定し、打設すべき場所に釘先をあてがって上から真っ直ぐに打ち込む。またねじの場合にも同様に半円柱状溝１５および１６、または１７および１８にねじを挟み込んだ後、ドライバーにより上からねじ込み、さらにステップル等のように形状が丸棒状でない固着部材については、ギザギザ状の溝１９，２０に挟み込んで打ち込む。【０００９】  また、第２の課題解決手段による作用は、挟持体本体の底部に磁石が設けられているため、その磁石付き挟持体本体の挟み面に各種の固着部材を挟みつけた後、その挟持体本体を、磁石をくっ付ける素材よりなる留め材の上にくっ付けさせて打設すべき場所に当てがい打ち込む。
【発明の効果】
【００１０】  この発明は上記のようにきわめてシンプルな構造ではあるが、ばね構造という特長によって、釘類はもちろんのこと、ねじ類の場合でも押えばねに弾力性があるために挟む力でねじ山が壊れたりすることもなくスムーズに打てるし、ステップルのような丸棒状でない形の釘等でも、ばねの弾力性によって容易に固定されるため、いとも簡単に打てるようになる。【００１１】    また、大人でも子供でも誰でも扱いやすく、安全に打てるし、かつ決して曲がったりすることなく真っ直ぐ正確にその場所に打てる。特に効果的なのは、指より小さめの釘やねじ類あるいは丸棒状でない形状の釘等を打つ場合であり、その際立った効果は驚嘆に値するものである。【００１２】  これまでは打つ場所が天井、壁、柱等の打ちづらい場所や、あるいは非常に狭い場所等では、あらかじめ下穴を開けておいてから打つとか、作業の途中で釘等を落したり斜めに打ち込んでしまったりとかで手間取ることが多かったが、これを使えば失敗が全くと言っていいほどないし、また特に難しいマイナスねじを留める作業とか、あるいは不利な状態で留め材を留めなければならない場合などでは、その留め材を押さえながらの作業となって一人ではなかなか大変であったが、この発明によってその難しい作業がいとも簡単にできるようになる。したがって一人でも安全・確実にできるようになり、作業能率も飛躍的に向上する。【００１３】  この発明はさらに多機能性を有しており、挟持体本体を磁石付きのものにすれば、留める部材が鉄のような磁石をくっ付ける素材のときには釘・ねじ等を挟み込んだ本体をその部材の上に置くだけで自然にくっ付くことから、天井等の困難な場所でも固着部材が落下することもなく容易に打てるし、かつ指で釘・ねじ等を保持する必要がなくなることで作業が更にやり易くなる。【００１４】  釘やねじ等を打つことに不慣れな女性や子供たちでも、この発明によって手などに怪我をすることもなくなり、釘等を安全・正確・容易に打てるようになることから、子供たちには工作やホビーが楽しくなるとともに、女性たちには男性に頼ることなく一人で大工作業ができるようになる。その結果、この発明によってモノ作りの楽しさとか日曜大工の楽しさとかを経験できるようになり、楽しいＤＩＹの世界が一段と広がっていくことが期待される。【００１５】  この発明はこのように軽量でしかもきわめてシンプルな構造であるため、製造する場合でも非常に作りやすく量産化も容易であり、かつきわめて低コストでできることから、誰でも簡単に安く買うことができるため、その効果と影響は計り知れないほど大きい。【００１６】  この発明によって、これまで最大の難点であった持ちづらくて危険な作業というものが一気に解消されるばかりか、釘・ねじ等を手に持つ必要がなくなることによってその余った力を、たとえば他の部品を持ったりとか、重たい留め材を押えたりとか、あるいは高い場所での不安定な体制をカバーしたりとか等に振り向けられるようになり、このプラス効果は想像以上に大きいといえる。したがって、この発明はこれまでの「釘は手に持って打つもの」という固定観念を根底から覆したまさに画期的な発明といえる。
【発明を実施するための最良の形態】
【００１７】  以下、本発明の実施の形態を図１から図３に基づいて説明する。
【実施例１】
【００１８】  請求項１記載の実施例を説明すると、図１、２に示すように、全体を軽量かつ硬質素材よりなる挟み具のような形状をした左右対称の挟持体１、２の一対で構成され、挟持体１，２の底部３、４を水平にし、ほぼ中心部に支持部５，６を設け、それぞれの支持部の先端に凸部７，凹部８を交互に設けて支持部同士を差し込みはめ合わせるようにし、また押えばね２２を中心部よりつまみ部９，１０寄りに設け、その押えばね２２で支持部５，６を外側から挟み付けかつ先端部１１，１２を圧接させるように形成する。また先端部１１の挟み面１３上の支持部寄りに大きめの半円柱状の溝１５を設け、かつ先端部寄りにも小さめの半円柱状の溝１７を底部に対して垂直になるように設け、もう一方の対向位置にも同様の半円柱状の溝１６，１８を設けて、先端部１１，１２を合わせると垂直の円柱状の穴になるように形成し、かつ挟み面１３，１４に複数のギザギザ状の溝１９，２０を底部３、４に対して垂直になるように設ける。また、この場合の先端部１１，１２は安全性と打ち易さを考慮してやや長めに形成する。【００１９】この場合の素材は、低コストでできる硬質のプラスチックまたは木等で良いが、長持ちさせる場合には若干コスト高にはなるが硬い金属体にすることもできる。【００２０】  このような構成であるからその動作は、丸棒状の釘・ネジ等の場合にはそれが大きめのものは半円柱状溝１５，１６に挟みつけ、小さめのものは半円柱状溝１７，１８に挟みつけて固定し、金づち等で上から打ち込みあるいはねじ込み、ステップルのように形状が丸棒状でないものはギザギザ状の溝１９，２０に挟み込んで打ち込む。このようにするならば大小どんな釘・ねじ等でも失敗なく真っ直ぐに打てるし、この実施例１では先端部１１，１２をやや長めに形成してあるため指を怪我する危険性もない。
【実施例２】
【００２１】  次に請求項２記載の実施例について説明すると、図３に示すように、挟持体１のほぼ中心部の底部３に磁石２１を埋め込んだ磁石付きの挟持体本体を形成したものであるが、その磁石の設置箇所は挟持体２の底面でもどちらでも良い。これならば磁石をくっ付ける鉄のような金属の留め材であれば、その留め材の上に釘・ねじ等を挟んだ挟持体本体を置くだけで自然にくっ付いてくれるので、釘・ねじ等を持つ手間が省けるため作業がさらにやり易くなる。ただし、この実施例の場合には、挟持体本体は小回りと使いやすさを考慮して半円柱状の溝は一個とし、ギザギザ状の溝は上記の実施例１よりも少なくして全体を小さく、コンパクトに形成する。
【実施例３】
【００２２】  また、上記実施例以外にも、挟み面の高さを２段に形成し、支持部寄りの方を部材の固定力をより強くするため高さを高くかつ半円柱状の溝穴を大きくし、先端部寄りの方は低くして半円柱状の溝穴を小さく形成することもできる。こうするならば、大きな部材は高さの高いほうに更にしっかりと固定されるため、より安定的に打てるようになる。また固着部材の種類や大きさに合わせて半円柱状の溝穴も、３個以上設けたものに形成することもできる。またつまみ部を太くしたり、挟持体本体を押さえたときの安定力を増すために底面をより広くしたものに形成することもできる。
【図面の簡単な説明】
【００２３】
【図１】  本発明の実施形態を示す実施例１の分解斜視図
【図２】  本発明の実施形態を示す実施例１の斜視図
【図３】  本発明の実施形態を示す実施例２の底面図
【符号の説明】
【００２４】  １    挟持体
２    挟持体
３    底面
４    底面
５    支持部
６    支持部
７    凸部
８    凹部
９    つまみ部
１０  つまみ部
１１  先端部
１２  先端部
１３  挟み面
１４  挟み面
１５  半円柱状溝
１６  半円柱状溝
１７  半円柱状溝
１８  半円柱状溝
１９  ギザギザ状溝
２０  ギザギザ状溝
２１  磁石
２２  押えばね
【図１】
2006130644.tif 000003
【図２】
2006130644.tif 000004
【図３】
2006130644.tif 000005